(57)【要約】【課題】  ヒートシールで密封されていても鋭い角部で手や指が傷つくおそれがなく、且つ開封位置も判りやすい易開封性包装袋を提供する。【解決手段】  易開封性包装袋３は、筒状の包装材５の両端位置にそれぞれ形成されるヒートシール部６，７で内部に製品を包装可能である。筒状包装材５の両端位置の角部８ａ〜８ｄがアール成形されているので、ヒートシール部６，７で硬くなる傾向にある袋の角部８ａ〜８ｄが人の手や指を傷付けることがない。一方のヒートシール部６に対応する袋縁部１０には凹部１２が形成されており、凹部１２に開封開始用ノッチ１５が形成されている。袋３を開封する場合には、凹部１２を見出すことで開封開始用ノッチ１５を容易に捜し出すことができる。【選択図】      図１
0003105999.tif 000002
【実用新案登録請求の範囲】
【請求項１】
筒状の包装材の両端位置にそれぞれ形成されるヒートシール部で封鎖されており、前記両端位置の角部がアール成形されていると共に、一方の前記ヒートシール部に対応する袋縁部に凹部が形成され且つ前記凹部に開封開始用ノッチが形成されていることから成る易開封性包装袋。
【請求項２】
前記袋縁部は前記ヒートシール部の外側に残された前記袋の未シール部であり、前記開封開始用ノッチは前記未シール部に形成されていることから成る請求項１に記載の易開封性包装袋。
【考案の詳細な説明】
【技術分野】
【０００１】
この考案は、幼児や高齢者が取り扱うのに優しく製造された易開封性包装袋に関する。
【背景技術】
【０００２】
従来、内部に製品が包装可能な袋として、両側縁部間でセンターシール部を施して形成された筒状の包装材の両側端部にエンドシール部を施すことで封鎖された袋が知られている。この種の包装用の袋は、包装材の側縁部同士をセンターシーラでシールした筒状の包装材内に製品を充填し、充填された製品の前後の位置で筒状の包装材にエンドシールを施すことによって連続した包装体を製造するときの袋として用いることができる。合成樹脂や積層体フィルムを包装材として用いた袋は、ヒートシールによって多層化した部分の剛性が高く且つヒートシールによる密封性が十分高いので、易開封性のために切り込みやノッチが形成されていることが多い。
【０００３】
袋包装体又は製品を中に入れて袋包装体を製造する袋の一例として、四隅に丸みを付け、切欠部も曲線部に形成した軟質包装容器が提案されている（特許文献１）。一般に、袋の開封用ノッチの形状としてはＩノッチやＶノッチがあるが、Ｉノッチを設けた場合には、包装袋のどの部分にノッチが形成されているのか分かりにくいという問題があり、一方Ｖノッチを設けたり鋸歯状に加工した場合には、視認性は高いという点で優れるものの、ポリエチレンテレフタレート（ＰＥＴ）やポリアクリロニトリル（ＰＡＮ）系樹脂などのような硬質プラスチックフィルムや紙、とりわけ金属箔などの金属薄膜を積層した包装材料を用いたときには、その鋭利なコーナー部によって開封時に手指を傷付ける恐れがあり、使用者に一種の不安感を与えるという問題がある。この軟質包装容器は、これらの問題を解決するために考案したものであり、切欠部を構成する切欠縁と軟包装容器の外周縁が滑らかな曲線状に連続していることを特徴としている。したがって、切欠部の開口端が鋭利性に欠くことになり、開封時に手指に傷が付く恐れをほとんど無くすことができる。この結果、使用者は安心して開封できるようになる。軟包装容器のコーナー部のうち、少なくとも切欠部の最も近くにあるコーナー部、好ましくは四隅の輪郭を曲線状としているので、当該コーナー部のある隅部が耳状部として認識される結果、開封部の認識性が一層向上され、開封性がより向上される。
【特許文献１】特開２００２−２９５４８号公報（段落［０００６］，［００１３］〜［００１９］、図１〜図５）
【０００４】
合成樹脂フィルムの周縁を熱溶着した開封開始部を有する包装袋であって、前記開封開始部は開封用切り込み（ノッチ）と開封位置案内用凸部よりなることを特徴とする包装袋が提案されている（特許文献２）。この包装袋は、開封用ノッチと共に開封位置案内用凸部を開封用ノッチに近接させて設けることによって、包装袋の使用者が視覚的能力の低下（又は無い）状態にあっても、開封用ノッチの位置の確認を容易に行うことを可能にしている。開封開始部を包装袋の左右に２組設けることが包装袋の連続製造工程上好ましいとされ、袋には一側で凸部と凹部とが対で設けられ、他側ではそれに応じて凹部と凸部とが形成される。いずれも、凹部に開封用ノッチが形成される。
【特許文献２】特開２０００−１６８７９４号公報（段落［０００７］から［０００８］、図１，図２）
【０００５】
容器のシール部の外縁部分における開封予定位置を含んだ位置において、対向位置して形成される一対の切り欠きとその間に形成された開封切り欠きとからなるノッチを有する包装容器が提案されている。即ち、シール部において、開封予定位置に一対の切欠きを形成し、更にその切欠き内で開封切欠きとなるノッチが形成されている。ノッチの形状を滑らかな形状にし、包装容器の開口部分に直接口や舌先が触れた際の傷付きが防止され、安全性を高めている。
【特許文献３】特開２０００−１９０９９０号公報（段落［０００６］〜［０００９］、図１，図２）
【０００６】
内袋と外袋とから成る二重構造の芳香剤用袋において、外袋の周辺シール部に引裂方向と平行に互いに所定間隔を隔てて一対の切込みを設けた構造が提案されている。
【特許文献４】実全平３−６６８４６号公報（第６頁第４行〜第１７行、図１，図２）
【考案の開示】
【考案が解決しようとする課題】
【０００７】
しかしながら、上記の各文献に記載されている事項は、各袋毎についてのものであり、特に、ヒートシールされた部分は硬度が高くなっているので、鋭い角部が手や指に傷を付けるおそれが依然としてある。また、易開封のために各種のノッチが形成されているが、ノッチが形成されている開封開始位置が判りづらいという問題がある。そこで、総合的に、袋を扱う人の手や指に優しく且つ幼児や高齢者でも開封が容易な易開封性の包装袋について、なお一層の改善を図る点で解決すべき課題がある。
【０００８】
この考案の目的は、ヒートシールで密封されていても鋭い角部で手や指が傷つくおそれがなく、且つ開封位置も判りやすい易開封性包装袋を提供することである。
【課題を解決するための手段】
【０００９】
上記の課題を解決するため、この考案による易開封性包装袋は、筒状の包装材の両端位置にそれぞれ形成されるヒートシール部で封鎖されており、前記両端位置の角部がアール成形されていると共に、一方の前記ヒートシール部に対応する縁部に凹部が形成され且つ前記凹部に開封開始用ノッチが形成されていることから成っている。
【００１０】
この易開封性包装袋によれば、筒状の包装材の両端位置にそれぞれ形成されるヒートシール部で内部に製品を収納・封鎖して包装可能である。袋の両端位置の角部がアール成形されているので、両端位置に形成されるヒートシール部で硬くなる傾向にある袋の角部が、人の手や指を傷付けることがない。一方のヒートシール部に対応する袋縁部には凹部が形成されており、その凹部に開封開始用ノッチが形成されている。したがって、袋を開封する場合には、凹部を見出すことで開封開始用ノッチを容易に捜し出すことができる。
【００１１】
この易開封性包装袋において、前記袋縁部は前記ヒートシール部の外側に残された前記袋の未シール部であり、前記開封開始用ノッチは前記未シール部に形成することができる。ヒートシール部の外側に未シール部を残すことによって袋縁部の硬さはヒートシール部と比較して十分柔らかい状態であり、袋縁部が鋭いエッジとなって人の手や指を傷付けることがない。また、このような未シール部の袋縁部に開封開始用ノッチを形成しても、切り込みによって引っかかりの原因になるようなエッジや突起が形成されることもない。更に、硬さが増すヒートシール部に直接にノッチを形成すると、流通段階等においてノッチ部分に意図しない力が作用したような場合にはノッチが自然に進行し、商品性が低下する可能性がある。しかしながら、ノッチを形成する部分を未シール部としておけば、未シール状態では包装材は撓みやすいのでノッチの進行そのものが生じ難い。仮にノッチがヒートシール部の縁に到達したとしても、更に進行するには抵抗が強く、ノッチの自然進行を防止することができる。
【考案の効果】
【００１２】
この考案による易開封性包装袋は、上記のように構成されており、袋の四隅がアール成形されているので、両端位置に形成されるヒートシール部で硬くなる傾向にある袋の角部が人の手や指を傷付けることがない。一方のヒートシール部に対応する袋縁部に形成されている凹部に開封開始用ノッチが形成されているので、袋包装体を開封する場合に凹部を見出すことで、開封開始用ノッチを容易に捜し出して、ノッチから袋の開封を行うことができる。このように、ヒートシールで密封された袋を用いる場合であっても、鋭い角部で手や指が傷つくおそれがなく、且つ袋の開封位置も判りやすい易開封性包装袋を得ることができる。
【考案を実施するための最良の形態】
【００１３】
以下、添付した図面に基づいて、この考案による易開封性包装袋の実施例を説明する。図１はこの考案による易開封性包装袋を用いた袋包装体の一実施例を示す斜視図、図２は図１に示した袋包装体に用いる易開封性包装袋の袋縁部の拡大図である。
【００１４】
図１に示す袋包装体１は、内部に飴やキャンディのような製品（一部を想像線で示す）２を収容することができる密封性の良い易開封性包装袋３を用いた包装体である。易開封性包装袋３は、例えば、内面側をアルミニウムで蒸着した多層の合成樹脂製（他の合成樹脂包装材であっても、もちろん構わない）の袋であり、図面の裏側に形成されるセンターシール部（かくれ線で示す）４で筒状に形成された包装材５の両端位置にエンドシールとしてそれぞれ形成されるヒートシール部６，７で密封されている、所謂３方シールで封鎖された袋である。
【００１５】
易開封性包装袋３の四隅の角部８ａ〜８ｄには、トリム加工のようにアール成形されており、輪郭が包装材５の端縁に滑らかに接続するように丸くされている。一般に、積層フィルムはヒートシールすることで厚みが２層分に増すとともに硬度が増す傾向があるので、両端位置に形成されるヒートシール部の角部が鋭利になって、人の手や指を傷付けるおそれがある。易開封性包装袋３のように、角部８ａ〜８ｄをアール成形することによって、尖った部分が形成されないので、人の手や指を傷付けることがない。
【００１６】
図１で上方のヒートシール部５に対応する袋縁部１０にはその一部に凹部１２が形成されている。また、下方のヒートシール部６に対応する袋縁部１１にはその一部に凸部１３が形成されている。凹部１２には、開封開始用ノッチ１５が形成されている。袋包装体１を開封する場合に凹部１２は目立つ形状であるので、凹部１２を見出すことで開封開始用ノッチ１５を容易に捜し出すことができる。詳細には、図２に示すように、袋縁部１０はヒートシール部６の外側に残された筒状の包装材５の未シール部１６であり、開封開始用ノッチ１５は未シール部１６に形成されている。袋縁部１１も、同様に、ヒートシール部７の外側に残された筒状の包装材５の未シール部である。
【００１７】
ヒートシール部６，７の外側に未シール部１６を残すことによって、袋縁部１０，１１の硬さはヒートシール部６，７と比較して十分柔らかい状態となり、袋縁部１０，１１が鋭いエッジとなって人の手や指を傷付けることがない。また、このような未シール部１６となっている袋縁部１０に開封開始用ノッチ１５を形成しても、切り込みによって引っかかりの原因になるようなエッジや突起が形成されることもない。更に、包装材の撓みやすい未シール部１６に開封開始用ノッチ１５を形成しておけば、流通段階等においてノッチの部分に意図しない力が作用してもノッチの進行を防止することができ、商品性を維持することができる。仮にノッチがヒートシール部５の縁に到達したとしても、その進行には抵抗が高まり、自然進行を防止することができる。
【産業上の利用可能性】
【００１８】
本発明は易開封性包装袋として示したが、製品を内部に収容した後の袋包装体であっても良いことは明らかである。即ち、一方のヒートシール部を未だシールしない部分とした未充填・未封鎖の袋を用いて、製品を充填した後にヒートシールを施して袋包装体を製造することができる。また、開封については、易開封性包装袋の場合と同じであるので、再度の説明を省略する。
【図面の簡単な説明】
【００１９】
【図１】図１はこの考案による袋包装体の一実施例を示す斜視図である。
【図２】図１に示した袋包装体の袋縁部の拡大図である。
【符号の説明】
【００２０】
１  袋包装体            ２  製品
３  易開封性包装袋      ４  センターシール部
５  筒状の包装材        ６，７  ヒートシール部
８ａ〜８ｄ  四隅の角部
１０，１１  袋縁部
１２  凹部              １３  凸部
１５  開封開始用ノッチ
１６  未シール部
【図１】
0003105999.tif 000003
【図２】
0003105999.tif 000004